(57)【要約】【課題】開封性や再封性等の使用感を損ねることなく、耐圧強度や落下強度を向上することが可能なジッパー付き包装袋を提供する。【解決手段】第１のジッパー片５を支持する第１の支持フィルム３は、第１のジッパー片５より上部３ａの第１シール部Ｓ１によって第１壁面１にシールされ、第２のジッパー片６を支持する第２の支持フィルム４は、第２のジッパー片６より上部４ａの第２シール部Ｓ２と第２のジッパー片６より下部４ｃの第３シール部Ｓ３とによって第２壁面２にシールされ、第２のジッパー片６より下部のイージーピール層７により、第２の支持フィルム４と第１壁面１とをイージーピール可能にシールするイージーピールシール部Ｅが形成され、第３シール部Ｓ３の下端がイージーピールシール部Ｅの下端よりも１．５ｍｍ以上、上方に位置する。【選択図】図１
2010260624.tif 000002
【特許請求の範囲】
【請求項１】
胴部フィルムの第１壁面と第２壁面とがその幅方向両側の側縁シール部でシールされてなる開口部を有し、前記第１壁面と第２壁面との間に、第１のジッパー片と第２のジッパー片とから構成されるジッパーを備え、前記ジッパー片の両端は、それぞれ前記側縁シール部において前記第１壁面と第２壁面との間に挟み込まれてシールされ、前記開口部が前記ジッパーより上側で開封されるジッパー付き包装袋であって、
第１のジッパー片は第１の支持フィルムに支持され、第１の支持フィルムは、第１のジッパー片が形成された側の面とは反対側の面で、第１のジッパー片より上部の第１シール部によって前記第１壁面にシールされ、第１シール部より下側では、前記第１の支持フィルムと前記第１壁面との間が未シールとされており、
第２のジッパー片は第２の支持フィルムに支持され、第２の支持フィルムは、第２のジッパー片が形成された側の面とは反対側の面で、第２のジッパー片より上部の第２シール部と第２のジッパー片より下部の第３シール部とによって前記第２壁面にシールされ、第２シール部と第３シール部との間では、前記第２の支持フィルムと前記第２壁面との間が未シールとされており、
第２の支持フィルムは、第２のジッパー片が形成された側の面で、かつ第２のジッパー片より下部にイージーピール層を有し、前記イージーピール層により、前記第２の支持フィルムと前記第１壁面とをイージーピール可能にシールするイージーピールシール部が形成され、
第３シール部は、その下端が、前記イージーピールシール部の下端よりも１．５ｍｍ以上、上方に位置することを特徴とするジッパー付き包装袋。
【請求項２】
前記ジッパー片は、前記支持フィルムと一体に形成されていることを特徴とする請求項１に記載のジッパー付き包装袋。
【請求項３】
前記第３シール部の上端は、前記イージーピール層の上端より下方に位置することを特徴とする請求項１または２に記載のジッパー付き包装袋。
【発明の詳細な説明】
【技術分野】
【０００１】
本発明は、ジッパー付き包装袋に関する。
【背景技術】
【０００２】
従来、食料品、化粧品、医薬品、医療用品などを包装するための軟包装材料（包装袋）としては、プラスチックや紙、金属箔などを積層してなる種々の積層シート（複合フィルム）が用いられている。また、包装袋を開封した後、内容物を一時的に保存する等の目的で再封可能なジッパー（チャック）を設けることもある。
【０００３】
特許文献１（特にその請求項６、図８〜１０）には、再開封可能なチャックの下方にイージーピール層と熱接着層とからなるイージーピールテープを設け、イージーピール層を一方の胴部フィルムに対して弱接着し、熱接着層を他方の胴部フィルムに対して前記弱接着の幅より狭い幅で強接着し、前記弱接着と強接着をイージーピールテープの袋横幅方向と直交するテープ幅方向で長短の接着段差を持たせ、開口部側からの剥離を容易にし、かつ袋体内部からの剥離を防止した合成樹脂製袋体が記載されている。
この合成樹脂製袋体においては、弱接着の袋体開口部側と強接着の袋体開口部側とにそれぞれ非接着部を有することにより、開封時には開口部側からの剥離が容易になり、一方、長短の接着段差を持たせることにより、袋体内部からの圧力に対しては弱接着が剥離されず密閉状態を確保するものとされている。
【先行技術文献】
【特許文献】
【０００４】
【特許文献１】特開２００８−４４６７１号公報
【発明の概要】
【発明が解決しようとする課題】
【０００５】
ジッパーを胴部フィルムに接着した箇所では、ジッパーの分、他の部分よりも厚くなるため、側縁シール部にピンホールが生じたり、あるいはシール時間を長くするとポリ溜まり（長時間の加熱により樹脂が流れ、フィルムに厚い部分と薄い部分が生じること）のため肉薄となった部分で切れたりすることがある。
特許文献１に記載された発明においては、再開封可能なチャックの下方にイージーピールテープを設け、胴部フィルムとの間を弱接着と強接着とでシールすることにより、内容物がチャックまで到達しないものとされている。
しかしながら、落下等によってチャックが接着された箇所に強い衝撃等が加わると、チャックの咬合が外れてしまう、という問題や、チャックテープとイージーピールテープを別々に用意する必要があり、部品点数が多いものであった。
【０００６】
本発明は、上記事情に鑑みてなされたものであり、開封性や再封性等の使用感を損ねることなく、耐圧強度や落下強度を向上することが可能なジッパー付き包装袋を提供することを課題とする。
【課題を解決するための手段】
【０００７】
前記課題を解決するため、本発明は、胴部フィルムの第１壁面と第２壁面とがその幅方向両側の側縁シール部でシールされてなる開口部を有し、前記第１壁面と第２壁面との間に、第１のジッパー片と第２のジッパー片とから構成されるジッパーを備え、前記ジッパー片の両端は、それぞれ前記側縁シール部において前記第１壁面と第２壁面との間に挟み込まれてシールされ、前記開口部が前記ジッパーより上側で開封されるジッパー付き包装袋であって、第１のジッパー片は第１の支持フィルムに支持され、第１の支持フィルムは、第１のジッパー片が形成された側の面とは反対側の面で、第１のジッパー片より上部の第１シール部によって前記第１壁面にシールされ、第１シール部より下側では、前記第１の支持フィルムと前記第１壁面との間が未シールとされており、第２のジッパー片は第２の支持フィルムに支持され、第２の支持フィルムは、第２のジッパー片が形成された側の面とは反対側の面で、第２のジッパー片より上部の第２シール部と第２のジッパー片より下部の第３シール部とによって前記第２壁面にシールされ、第２シール部と第３シール部との間では、前記第２の支持フィルムと前記第２壁面との間が未シールとされており、第２の支持フィルムは、第２のジッパー片が形成された側の面で、かつ第２のジッパー片より下部にイージーピール層を有し、前記イージーピール層により、前記第２の支持フィルムと前記第１壁面とをイージーピール可能にシールするイージーピールシール部が形成され、第３シール部は、その下端が、前記イージーピールシール部の下端よりも１．５ｍｍ以上、上方に位置することを特徴とするジッパー付き包装袋を提供する。
前記ジッパー片は、前記支持フィルムと一体に形成されていることが好ましい。
前記第３シール部の上端は、前記イージーピール層の上端より下方に位置することが好ましい。
【発明の効果】
【０００８】
本発明によれば、ジッパーの下方に設けられた第２の支持フィルムの下部は、第１壁面に対してイージーピール可能にシール（弱接着）されるとともに、第２壁面に対して第３シール部の強接着でシールされ、第３シール部の下端が、イージーピールシール部の下端よりも１．５ｍｍ以上、上方に位置し、接着段差を持たせることにより、袋体内部からの圧力に対してイージーピールシール部が剥離されず密閉状態を確保することができる。
第１〜３のシール部及びイージーピールシール部は、ジッパー片のない平坦な個所をシールしているので、支持フィルムと胴部フィルムとをシールするときに、特別な治具や操作の必要がない。
さらに、本発明によれば、ジッパー片が支持フィルムに形成された部分（ジッパー片形成部）において、支持フィルムと胴部フィルムとの間が未シールとされているので、落下等によって強い衝撃が加わっても、ジッパー片形成部と胴部フィルムとの間が離間可能となり、ジッパー片同士の咬合が外れにくい。また、イージーピール層から第２のジッパー片までが同一の支持フィルムに形成されているので、開封してジッパーおよびイージーピールシール部を開放・剥離し、内容物を取り出すときに流路を開きやすい。
【図面の簡単な説明】
【０００９】
【図１】本発明のジッパー付き包装袋の開口部近傍の一形態例を示す断面図である。
【図２】図１に示す開口部の平面図である。
【図３】参考例１のジッパー付き包装袋の開口部近傍を示す断面図である。
【図４】参考例２のジッパー付き包装袋の開口部近傍を示す断面図である。
【発明を実施するための形態】
【００１０】
以下、好適な実施の形態に基づき、図面を参照して本発明を説明する。
図１、図２に、本発明のジッパー付き包装袋における開口部１０の一形態例を示す。
このジッパー付き包装袋は、胴部フィルムの第１壁面１と第２壁面２とがその幅方向（図２の左右方向）両側の側縁シール部１２，１３でシールされてなる開口部１０を有し、第１壁面１と第２壁面２との間に、第１のジッパー片５と第２のジッパー片６とから構成されるジッパーを備える。
【００１１】
胴部フィルムの第１壁面１と第２壁面２は、異なるフィルムを重ね合わせたものであっても、同じフィルムを一の側縁で折り重ねたものであっても良い。
ジッパー片５，６は、それぞれ支持フィルム３，４に支持されている。例えば、ジッパー片と支持フィルムとが熱可塑性樹脂等から一体的に形成されたジッパー付きテープ部材（チャックテープ）を用いることができる。ジッパー片５，６および支持フィルム３，４を構成する熱可塑性樹脂は胴部フィルムとヒートシール可能なもので、具体的には、低密度ポリエチレン、直鎖状低密度ポリエチレン、エチレン−酢酸ビニル共重合体、ポリプロピレン等のポリオレフィン系樹脂などが挙げられる。
ジッパーを設けることにより、開封後も包装袋の再閉および再開が可能になり、内容物を使い切るまで内容物を保存することができる。
【００１２】
ここでは、第２のジッパー片６を支持する第２の支持フィルム４は、第１のジッパー片５を支持する第１の支持フィルム３に比べて下方に長く、かつ第２のジッパー片６が形成された側の面で、第２のジッパー片６より下部にイージーピール層７を有する。
なお、図１では第１のジッパー片５が雄部材となる凸部で、第２のジッパー片６が雌部材となる凹部を有する場合を示すが、その反対に、第１のジッパー片５が雌部材となる凹部で、第２のジッパー片６が雄部材となる凸部を有するでも良い。また、第１のジッパー片５が凹部と凸部の両方を有するとともに、第２のジッパー片６が第１のジッパー片５の凹部と嵌合する凸部、および第１のジッパー片５の凸部と嵌合する凹部の両方を有する構成とすることも可能である。
【００１３】
ジッパー片５，６の両端は、それぞれ側縁シール部１２，１３において第１壁面１と第２壁面２との間に挟み込まれてシールされている
また、ジッパー片５，６の上方の封止シール部１１において、胴部フィルムの第１壁面１と第２壁面２とが開口部１０の幅方向（図２の左右方向）に沿ってシールされている。この開口部１０は、ジッパーより上側（図１、図２の上側）で、例えば封止シール部１１に沿って切断する等の方法により、開封される。また、開口部１０を開封した後、ジッパーとイージーピールシール部を開くことにより、内容物を取り出すことができる。
【００１４】
第１のジッパー片５を支持する第１の支持フィルム３は、第１のジッパー片５が形成された側の面とは反対側の面で、第１のジッパー片５より上部３ａの第１シール部Ｓ１によって第１壁面１にシールされている。また、第１シール部Ｓ１より下側では、第１の支持フィルム３と第１壁面１との間が未シールとされた未シール部８を有する。
【００１５】
第２のジッパー片６を支持する第２の支持フィルム４は、第２のジッパー片６が形成された側の面とは反対側の面で、第２のジッパー片６より上部４ａの第２シール部Ｓ２と第２のジッパー片６より下部４ｃの第３シール部Ｓ３とによって第２壁面２にシールされている。また、第２シール部Ｓ２と第３シール部Ｓ３との間では、第２の支持フィルム４と第２壁面２との間が未シールとされた未シール部９を有する。
【００１６】
このように、ジッパー片５，６が支持フィルム３，４に形成された部分（ジッパー片形成部３ｂ、４ｂ）において、支持フィルム３，４と胴部フィルム１，２との間が未シール部８，９とされているので、ジッパー片形成部３ｂ，４ｂと胴部フィルム１，２との間が離間可能となる。これにより、落下等によって強い衝撃が加わっても、未シール部８，９の間で衝撃を吸収し、ジッパー片５，６に作用する衝撃を緩和することができるので、ジッパーの咬合が外れにくくなる。
【００１７】
イージーピール層７により、第２の支持フィルム４と第１壁面１とをイージーピール可能にシールするイージーピールシール部Ｅが形成されている。第３シール部Ｓ３の下端が、イージーピールシール部Ｅの下端よりも１．５ｍｍ以上、上方に位置する。
このように、イージーピールシール部Ｅと第３シール部Ｓ３との間に、１．５ｍｍ以上の接着段差Ｄを持たせることにより、袋体内部からの圧力によってイージーピールシール部Ｅが剥離されることを抑制し、密閉状態を確保することができる。接着段差Ｄは２ｍｍ以上がより好ましい。
【００１８】
また、イージーピール層７から第２のジッパー片６までが同一の支持フィルム４に形成されているので、ジッパー片５，６の嵌合を離脱し、イージーピールシール部Ｅを剥離したときに、内容物を取り出す流路を開きやすくなる。ジッパー片５，６および支持フィルム３，４は、両端が側縁シール部１２，１３により第１壁面１と第２壁面２との間に挟み込まれてシールされているので、包装袋を傾けてもジッパー片５，６が開封側に裏返ることは起きず、また、第２の支持フィルム４側で内容物を流し出すことにより、第１壁面１と第１の支持フィルム３との間の未シール部８に内容物が流入することを避けることができる。
また、ジッパー片５，６が支持フィルム３，４と一体に形成されているので、部品点数を減らすことができ、胴部フィルムへの取付工程を簡略化することが可能である。
【００１９】
イージーピールシール部Ｅの上端と第３シール部Ｓ３の上端との位置関係は、同じ高さでも、あるいはどちらが上でも差し支えないが、第３シール部Ｓ３の上端が、イージーピール層７の上端より下方に位置することが好ましい。この場合、第３シール部Ｓ３の範囲がイージーピール層７の範囲内になるので、第３シール部Ｓ３を形成するときの加熱がイージーピール層７に伝導してイージーピール層７を構成する材料が流動性を呈したとしても、イージーピール層７の存在範囲が変動してイージーピールシール部Ｅの易剥離性に悪影響を及ぼすおそれがない。
【００２０】
ジッパー片５，６の支持フィルム３，４を胴部フィルム１，２に接着するシール部Ｓ１、Ｓ２、Ｓ３およびイージーピールシール部Ｅは、直線形状でも曲線形状でも良い。シール幅はそれぞれ１ｍｍ〜１５ｍｍが好ましい。接着段差Ｄを設けるため、第３シール部Ｓ３はイージーピールシール部Ｅよりシール幅が狭いことが望ましい。
弱シール部であるイージーピールシール部Ｅの剥離強度は、例えば５〜１５Ｎ／１５ｍｍが好ましい。また、強シール部である他のシール部Ｓ１、Ｓ２、Ｓ３の剥離強度は、例えば２５〜５０Ｎ／１５ｍｍが好ましい。
【００２１】
なお、包装袋の形態は、例えば三方シール袋や四方シール袋等の平袋が挙げられる。また、特に図示しないが、包装袋の下部に底部フィルムを設けてスタンディングパウチとすることもできる。
包装袋の周囲のシール部１１，１２，１３は、直線形状でも曲線形状でも良い。シール幅はそれぞれ３ｍｍ〜１５ｍｍが好ましい。包装袋の周囲のシール部１１，１２，１３は、シール部Ｓ１、Ｓ２、Ｓ３と同程度の強シール部であることが好ましい。
包装袋の容量は特に限定されるものではないが、例えば５０ｇ〜５ｋｇ程度が挙げられる。
【００２２】
包装袋を構成するフィルムとしては、従来より使用されているもの、例えば二軸延伸ポリプロピレン、二軸延伸ポリアミド、二軸延伸ポリエステル等からなるフィルムを基材フィルムとし、これらの基材フィルムに、低密度ポリエチレン、直鎖状低密度ポリエチレン、エチレン−酢酸ビニル共重合体、ポリプロピレン等のポリオレフィン系樹脂をシーラント層として積層した積層体が用いられる。積層フィルムを製造する方法としては、ドライラミネート法、押出ラミネート法、共押出法などが挙げられる。基材フィルム層とシーラント層との間には接着強度の向上のため、接着剤やアンカー剤等を設けることができる。この場合、包装袋の強度を高めるために基材フィルムを複数枚積層してもよい。あるいは気体や紫外線や水蒸気などのバリア性を高めるため、アルミニウム箔等の金属箔、金属蒸着層、セラミック等の無機質蒸着層、エチレン−ビニルアルコール共重合体フィルムなどを積層してもよい。
【００２３】
図３は、参考例１のジッパー付き包装袋の開口部近傍を示す断面図である。この例は、開口部１０に第１のジッパー片５を支持する第１の支持フィルム３と、第２のジッパー片６を支持する第２の支持フィルム４が設けられている点では、図１に示す形態例と同様であるが、第２の支持フィルム４が、第２のジッパー片６より上部４ａの第２シール部Ｓ２のみで第２壁面２にシールされ、第２のジッパー片６より下部４ｃの第３シール部Ｓ３を有しない点で、図１に示す形態例と異なる。この場合は、図３の矢印Ｆに示すように、ジッパー片形成部４ｂの背面に向かって内容物が流入する流路Ｆが形成されるため、側縁シール部のジッパーを挟み込んだ部分にピンホールが生じていた場合に内容物の漏れが発生するおそれや、第２の支持フィルム４に強い内圧が加わると、イージーピールシール部Ｅがずれて剥離するおそれがある。
【００２４】
図４は、参考例２のジッパー付き包装袋の開口部近傍を示す断面図である。この例は、第２のジッパー片６を支持する第２の支持フィルム４と、イージーピール層７を有するイージーピールフィルム７０が別部材となっている点で、図１に示す形態例と異なる。この場合、イージーピールフィルム７０の基材７１と第２壁面２との間に第３シール部Ｓ３が形成され、イージーピールシール部Ｅとの間に、特許文献１に記載される接着段差Ｄが設けられている点では、図１に示す形態例と同様であるが、開封時、イージーピールシール部Ｅを剥離して内容物を取り出す際に、胴部フィルム１，２と支持フィルム３，４との間の未シール部８，９に内容物が流入することを避けられない。また、部品点数が多くなりコストや製造の手間がかかる。
【実施例】
【００２５】
以下、実施例をもって本発明を具体的に説明する。
図１に示すように、ＰＥＴ１２μｍ／Ｎｙ１５μｍ／ＰＥ１００μｍの層構成を有するフィルムを胴部フィルム１，２とし、その間にＰＥ製のチャックテープを挟み込んで、ジッパー付き包装袋を製造した。なお、ＰＥＴはポリエチレンテレフタレート、Ｎｙはナイロン（脂肪族ポリアミド）、ＰＥはポリエチレンを示す。
第２の支持フィルム４の第２のジッパー片６が形成された側の面においては、イージーピール層７のシール可能な幅９ｍｍに対して、イージーピールシール部Ｅのシール幅は５ｍｍとし、イージーピールシール部Ｅの下側に１．５ｍｍ、イージーピールシール部Ｅの上側に２．５ｍｍの未シール部を設けた。
【００２６】
イージーピール層７とは反対側の面においては、第３シール部Ｓ３のシール幅と接着段差Ｄとの合計が６ｍｍとなるように第３シール部Ｓ３を形成した。
接着段差Ｄは、０ｍｍ、０．５ｍｍ、１ｍｍ、２ｍｍ、４ｍｍの５通りとした。
これら５通りのいずれにおいても、第３シール部Ｓ３の上端はイージーピールシール部Ｅの上端より１ｍｍ上方に位置する。また、第３シール部Ｓ３の上端は、イージーピール層７の上端より１．５ｍｍ下方に位置する。
【００２７】
得られた各々のジッパー付き包装袋を用いて静耐圧試験を行った。静耐圧試験の方法は、ＪＩＳ  Ｚ０２３８：１９９８の「１０．耐圧縮強さ試験」に準じ、ジッパー付き包装袋に総重量が４００ｇとなるまで水を充填し、開口部を密封した状態で、ジッパーより下側の内容物が充填された箇所に所定の荷重（７５ｋｇｆまたは１００ｋｇｆ）を１分間加えた後、イージーピールシール部が剥離しないように開封し、内容物の液体がジッパー側に漏れ出した数を計測する方法とした。この方法によれば、所定の荷重を加えることで開封前からイージーピールシール部が剥離したときには、漏れ出しが観測される。
【００２８】
静耐圧試験の結果を表１に示す。表１はそれぞれの接着段差を有するサンプルについて、斜線「／」の右側（分母）にサンプルの総数を示し、左側（分子）に漏れ出した個数を示す。
【００２９】
【表１】
2010260624.tif 000003
【００３０】
静耐圧試験の荷重を７５ｋｇｆとした場合（ただし１ｋｇｆ＝９．８Ｎ）は、いずれのサンプルでも内容物の漏れ出しはなかったが、静耐圧試験の荷重を１００ｋｇｆとした場合には、接着段差が１ｍｍ以下で内容物の漏れ出しが確認された。
【産業上の利用可能性】
【００３１】
本発明は、食料品、化粧品、医薬品、医療用品など各種製品の包装に利用することができる。
【符号の説明】
【００３２】
Ｄ…接着段差、Ｅ…イージーピールシール部、Ｓ１…第１シール部（第１の強シール部）、Ｓ２…第２シール部（第２の強シール部）、Ｓ３…第３シール部（第３の強シール部）、１…胴部フィルムの第１壁面、２…胴部フィルムの第２壁面、３，４…支持フィルム、３ａ，４ａ…支持フィルムの上部、３ｂ，４ｂ…ジッパー片形成部、４ｃ…第２の支持フィルムの下部、５，６…ジッパー片、７…イージーピール層、８…第１シール部より下側の未シール部、９…第２シール部と第３シール部との間の未シール部、１０…開口部、１１…封止シール部、１２，１３…側縁シール部。
【図１】
2010260624.tif 000004
【図２】
2010260624.tif 000005
【図３】
2010260624.tif 000006
【図４】
2010260624.tif 000007